(57)【特許請求の範囲】
【請求項１】
表面シート、裏面シート及び両シート間に介在された吸収体を備え、縦長に形成されており、長手方向第１端部の左右両側縁部に一対のファスニングテープが設けられており、長手方向第２端部の該裏面シート上に該ファスニングテープ止着用のランディングテープが貼付されている使い捨ておむつであって、
前記おむつの幅方向を二分する第１仮想中心線によって分けられる前記ランディングテープの右側領域及び左側領域それぞれの表面に、該幅方向に並ぶ、前記ファスニングテープの止着位置を示す複数の指標が表示されており、
複数の前記指標それぞれは、おむつの幅方向一端側から他端側に向かって該幅方向に平行又は斜行して延びる図柄を含んで構成されており、
前記右側領域及び前記左側領域それぞれにおける複数の前記指標は、前記第１仮想中心線と平行で且つ該領域それぞれを二分する２本の第２仮想中心線より前記おむつの内方に位置する第１指標と、該第２仮想中心線より前記おむつの外方に位置する第２指標とを含んでおり、
前記第１指標は、その前記図柄の前記第１仮想中心線寄りの先端が前記第１端部に向けて斜行するように表示されており、前記第２指標は、その前記図柄の前記第２仮想中心線寄りの先端が前記第２端部の長手方向端縁に向けて斜行するように表示されている使い捨ておむつ。
【請求項２】
前記右側領域及び前記左側領域それぞれにおける複数の前記指標は、前記第２仮想中心線を跨ぐように表示されている第３指標を含んでいる請求項１記載の使い捨ておむつ。
【請求項３】
前記ファスニングテープの前記ランディングテープとの止着面と反対側の面に、前記おむつの幅方向に平行して延びる図柄が表示されている請求項１又は２記載の使い捨ておむつ。
【発明の詳細な説明】
【技術分野】
【０００１】
本発明は、長手方向一端部（第１端部）側の左右両側縁部に左右一対のファスニングテープを有し、このファスニングテープを長手方向他端部（第２端部）側に設けられたランディングテープに止着することによって身体に装着する、いわゆる展開型の使い捨ておむつに関する。
【背景技術】
【０００２】
展開型の使い捨ておむつとして、例えば特許文献１には、ランディングテープの少なくとも両端部をおむつ後部側に曲設することで、ファスニングテープの止着作業を容易にした使い捨ておむつが開示されている。
しかし、特許文献１に記載の使い捨ておむつは、おむつ着用者の様々な身体的特徴、体型に対応したものではなく、特に、おむつの適応サイズよりも小さめの体型をもつ着用者には、充分なフィット感を与えることができない。
【０００３】
また、従来、ランディングテープにファスニングテープの止着箇所を示す縦線などの目印が印刷され、この目印にファスニングテープの先端部を一致させて該ファスニングテープを該ランディングテープに止着させることにより、おむつ着用者の個々の体型に対して大まかにおむつをフィットさせるようにしたものが知られている。例えば特許文献２には、ランディングテープに、ファスニングテープの止着箇所の目印となる直線指標と、おむつの着用者の平均的な胴回り及び足回り寸法からなる数値指標とを表示した使い捨ておむつが開示されている。
【０００４】
しかし、このような数値指標に合わせてファスニングテープを止着させるためには、おむつ着用者の体型測定を予め行っておくことが必要であり、該数値指標を活かしたおむつの着用を行うためには煩雑な作業が必要となる。また、予め測定した各種体型値が常に正確であるとは限らないため、数値指標にのみ依存してファスニングテープの止着を行なうと、充分なフィット感が得られないばかりか、おむつ着用者の体型に合わせた臨機応変なファスニングテープの止着を妨げるおそれがある。また例えば、乳幼児の腹部が前方に突出した体型は、上記のような数値指標のみでは充分に表現できない立体的特徴をもち、また、おむつ着用者の体型は空腹時、満腹時などで大きく変化することから、正確な体型測定をしたとしても、数値指標の通りにおむつを着用することが、おむつをフィットさせる上で常に適切であるとは言い難い。また、ランディングテープの表面はおむつの中でも特に目立つ部位であり、該表面に、直線や数値が書き込まれているデザインは、機械的で面白味がない。特に、乳幼児向けのおむつにおいては、ランディングテープの表面のデザインが、おむつ購入時の選択の重要な要素となる場合があり、特許文献２に記載のおむつは、デザインの面でも改良の余地がある。
【０００５】
ファスニングテープの止着箇所を示す指標が表示されたランディングテープのデザインに関し、特許文献３及び４には、ファスニングテープの外面に、ランディングテープの外面のデザインと相関するデザインが施された使い捨ておむつが開示されている。特許文献３及び４に記載の使い捨ておむつによれば、ファスニングテープによってランディングテープの外面に施されたデザインが阻害されることがなく、見た目にも違和感がなく、ファスニングテープをランディングテープに止着する際に楽しさが演出されると考えられる。また、特許文献３には、特許文献３に記載の使い捨ておむつによれば、着用者である幼児に対して知育ができるとされている。
しかし、特許文献３及び４に記載の使い捨ておむつは、おむつ着用者の様々な身体的特徴、体型に対応したものとは言えず、ランディングテープの外面に表示された指標に合わせてファスニングテープを止着しても、充分なフィット感が得られない場合があった。
【０００６】
【特許文献１】特開平１０−２９５７２８号公報
【特許文献２】特開２０００−６０８９９号公報
【特許文献３】特開２００３−１１１７９８号公報
【特許文献４】国際公開第０１／２１１２６号パンフレット
【発明の開示】
【発明が解決しようとする課題】
【０００７】
従って本発明の目的は、おむつを着用者の体型にフィットさせ得る、おむつの着用法を誘引する指標を有し、外見的にも良好な使い捨ておむつを提供することにある。
【課題を解決するための手段】
【０００８】
本発明は、表面シート、裏面シート及び両シート間に介在された吸収体を備え、縦長に形成されており、長手方向第１端部の左右両側縁部に一対のファスニングテープが設けられており、長手方向第２端部の該裏面シート上に該ファスニングテープ止着用のランディングテープが貼付されている使い捨ておむつであって、前記おむつの幅方向を二分する第１仮想中心線によって分けられる前記ランディングテープの右側領域及び左側領域それぞれの表面に、該幅方向に並ぶ、前記ファスニングテープの止着位置を示す複数の指標が表示されており、複数の前記指標それぞれは、おむつの幅方向一端側から他端側に向かって該幅方向に平行又は斜行して延びる図柄を含んで構成されており、前記右側領域及び前記左側領域それぞれにおける複数の前記指標は、前記第１仮想中心線と平行で且つ該領域それぞれを二分する２本の第２仮想中心線より前記おむつの内方に位置する第１指標と、該第２仮想中心線より前記おむつの外方に位置する第２指標とを含んでおり、前記第１指標は、その前記図柄の前記第１仮想中心線寄りの先端が前記第１端部に向けて斜行するように表示されており、前記第２指標は、その前記図柄の前記第２仮想中心線寄りの先端が前記第２端部の長手方向端縁に向けて斜行するように表示されている使い捨ておむつを提供することにより、前記目的を達成したものである。
【発明の効果】
【０００９】
本発明の使い捨ておむつは、おむつを着用者の体型にフィットさせ得る、おむつの着用法を誘引するファスニングテープの止着指標を有しているため、該指標に合わせてファスニングテープの止着位置を調整するだけの簡単な作業で、標準的な体型をもつ着用者をはじめ、おむつの適応サイズからやや外れた体型をもつ着用者に対しても充分なフィット感を提供でき、体液の漏れやおむつのずり落ちが効果的に防止される。また、外見的にも良好で、おむつの着用に楽しさを与えることができる。
【発明を実施するための最良の形態】
【００１０】
以下、本発明の使い捨ておむつを、その好ましい実施形態に基づき図面を参照して説明する。
図１には、本発明の第１実施形態としての使い捨ておむつが示されている。図２は、図１に示すおむつを腹側部から見た斜視図である。
【００１１】
おむつ１は、液透過性の表面シート２、液不透過性の裏面シート３、及び両シート２，３間に介在された液保持性の吸収体４を備えている展開型のものである。おむつ１は、図１に示すように、実質的に縦長に形成されており、長手方向の中央部に股下部Ａを有し、且つ該股下部Ａから長手方向前後にそれぞれ延びる腹側部Ｂ及び背側部Ｃを有している。股下部Ａはおむつ着用時に着用者の股下に位置する部位、腹側部Ｂは着用者の腹側に位置する部位、背側部Ｃは着用者の背側に位置する部位である。縦長に形成されているおむつ１の長手方向両端部のうち、背側部Ｃに位置する長手方向端部が第１端部１ａ、腹側部Ｂに位置する長手方向端部が第２端部１ｂとなっている。表面シート２の外面は、おむつ１の着用時に着用者の肌に当接する肌当接面となっている。裏面シート３の外面は、おむつ１の着用時に衣類と当接する衣類当接面（非肌当接面）となっている。
【００１２】
おむつ１は、股下部Ａの両側縁が円弧状に湾曲しており、全体として長手方向中央部が内方に括れた砂時計状の形状となっている。表面シート２及び裏面シート３は、おむつの外形形状に一致する砂時計状の外形を有している。吸収体４は、長方形形状の外形を有しており、おむつ１の幅方向中央部に配されている。表面シート２及び裏面シート３は、それぞれ、吸収体４の長手方向両側縁及び幅方向両端縁から外方に延出しており、それらの延出部において互いに接合されている。おむつ１における長手方向の両側には、それぞれレッグギャザー形成用の弾性部材５が配されて、レッグギャザーが形成されている。尚、幅方向とは、縦長あるいは横長に形成された物品の長手方向と直交する方向である。
【００１３】
おむつ１の長手方向第１端部１ａの左右両側縁部には一対のファスニングテープ６，６が設けられている。具体的には、背側部Ｃの両側部それぞれにはサイドフラップＳが形成されており、そのサイドフラップＳにファスニングテープ６が取り付けられている。尚、サイドフラップＳは、腹側部Ｂの左右両側部にも形成されている。ファスニングテープ６の肌当接面側には、メカニカルファスナのフック部材（図示せず）が取り付けられている。このフック部材としては当業界で公知のものを特に制限なく用いることができる。特に、不織布製の基材にフック部材を取り付けたものは、止着中でも透湿性を高く保つことができるので好ましい。ファスニングテープ６自体は、不織布や樹脂フィルムなど、当業界で公知のものを特に制限なく用いることができる。
【００１４】
ファスニングテープ６の先端縁６ａは直線となっている。即ち、ファスニングテープ６を図１に示すように平面視したとき、その先端縁６ａが直線状となっている。
ファスニングテープ６の幅方向（おむつ１の長手方向と平行な方向）の長さ（最大長さ）Ｌ１は、好ましくは２０〜５０ｍｍ、更に好ましくは３０〜４０ｍｍであり、ファスニングテープ６の長手方向（おむつ１の幅方向と平行な方向）の長さＬ２は、好ましくは３０〜６０ｍｍ、更に好ましくは３５〜４５ｍｍである。
【００１５】
腹側部Ｂにおけるおむつ１の長手方向第２端部１ｂの裏面シート３上（衣類当接面上）には、ファスニングテープ６，６止着用のランディングテープ７が貼付されている。ランディングテープ７は、基材シート７及び該基材シート７に貼り合わされたループ材料（図示せず）から構成されている。基材シート７は、ループ材料を支持すると共に、ランディングテープ７を裏面シート３の外面に貼付するために用いられるものである。基材シート７としては、不織布や樹脂フィルムなど、当業界で公知のものを特に制限なく用いることができる。ループ材料は、ファスニングテープ６に取り付けられたメカニカルファスナの前記フック部材と係合する係合部材として用いられる。このループ材料としては、フック部材を押しつけることにより、フック部材を止着可能なものを特に制限なく用いることができる。ループ材料としては、公知の機械的面ファスナーのメス部材を用いることができる。
【００１６】
ランディングテープ（基材シート）７は、横長の長方形形状を有しており、その長手方向をおむつ１の幅方向に一致させて、おむつ１の幅方向中央部に設けられている。ランディングテープ７の幅方向の長さＬ３は、好ましくは２０〜６０ｍｍ、更に好ましくは３０〜５０ｍｍであり、ランディングテープ７の長手方向の長さＬ４は、好ましくは１２〜２５ｃｍ、更に好ましくは１５〜２０ｃｍである。
【００１７】
ファスニングテープ６のランディングテープ７との止着面と反対側の面には、おむつ１の幅方向に平行して延びる図柄６１が表示されている。第１実施形態においては、ファスニングテープ６の前記止着面と反対側の面に、五角形のホームベース型の枠６０と、該枠６０内に表示された複数の線状の図柄６１とを含んで構成されたデザインが施されている。複数の線状の図柄６１は、枠６０内においておむつ１の幅方向と直交する方向に所定間隔を置いて並列に表示されている。ファスニングテープ６上に表示された図柄６１は、後述するように、ランディングテープ７上に表示された指標に該ファスニングテープ６を止着する際の指標として機能する。また、ホームベース型の枠６０は、その尖端部がおむつ１の幅方向外方に向かって突出し且つ該尖端部がファスニングテープ６の幅方向中央に位置するように表示されている。このようなホームベース型の枠６０の如き、「ファスニングテープ６の幅方向中央におむつ１の幅方向外方に向かって突出した突出部（尖端部）を有するデザイン」は、ファスニングテープ６の幅方向中央の位置を明確にし、ファスニングテープ６のランディングテープ７への適切な止着（止着面積を大きくとってファスニングテープをしっかりと止着させる）を誘引することができるため好ましい。
【００１８】
ランディングテープ７は、おむつ１の幅方向を二分する第１仮想中心線ＣＬ１によって、右側領域７Ｒと左側領域７Ｌとによって二分される。つまり、第１仮想中心線ＣＬ１は、おむつ１の長手方向と平行で且つランディングテープ７の長手方向中央部を通過している。右側領域７Ｒと左側領域７Ｌそれぞれの表面には、おむつ１の幅方向に並ぶ、ファスニングテープ６の止着位置を示す複数の指標（第１実施形態では、指し示す方向の異なる３つの矢標）が印刷により表示されており、これら複数の指標は第１仮想中心線ＣＬ１を挟んで左右対称位置に表示されている。
【００１９】
以下、ランディングテープ７の右側領域７Ｒを例にとって説明するが、右側領域７Ｒについての以下の説明は特に断らない限り、左側領域７Ｌにも適用される。
前記複数の指標それぞれは、図３に示すように、おむつ１の幅方向一端側から他端側に向かって該幅方向に平行又は斜行して延びる図柄を含んで構成されている。第１実施形態における各指標は、「おむつの幅方向一端側から他端側に向かって該幅方向に平行又は斜行して延びる図柄」に相当する、実質的に縦長の矢標（指し示す方向が同一の２つの矢標を部分的に重ねた図柄の矢標）のみからなり、「おむつの幅方向一端側から他端側に向かって該幅方向に平行又は斜行して延びる図柄」そのものである。第１実施形態における各指標は、おむつ１の幅方向一端側から他端側に向かって該幅方向に平行又は斜行して延びる仮想直線Ｘ１〜Ｘ３に沿って表示されている。ここで、指標（図柄）が仮想直線に沿って表示されているとは、指標の長手方向が仮想直線と略平行になるように該指標が表示されていることを意味する。第２仮想中心線ＣＬ２は、第１仮想中心線ＣＬ１と平行で且つ右側領域７Ｒを二分している。
【００２０】
右側領域７Ｒにおける前記複数の指標は、第２仮想中心線ＣＬ２よりおむつ１の内方に位置する第１指標１１と、第２仮想中心線ＣＬ２よりおむつ１の外方に位置する第２指標１２とを含んでいる。また、第１実施形態においては、これら２つの指標に加えて更に、第２仮想中心線ＣＬ２を跨ぐように表示されている第３指標１３を含んでいる。第３指標１３は、右側領域７Ｒの長手方向中央に位置し、第２仮想中心線ＣＬ２によってその長手方向が二分されている。
【００２１】
第１指標１１は、その第１仮想中心線ＣＬ１寄りの先端１１ａが長手方向第１端部１ａに向けて斜行するように表示されており、第２指標１２は、その第２仮想中心線ＣＬ２寄りの先端１２ａが長手方向第２端部１ｂの長手方向端縁１ｂｚに向けて斜行するように表示されている。
具体的には、第１指標１１は、その第１仮想中心線ＣＬ１寄りの一端部（先端１１ａを含む端部）がおむつ１の第２端部１ｂの長手方向端縁１ｂｚから最も遠く、該一端部と反対側の他端部（先端１１ａと反対側の先端１１ｂを含む端部）が該長手方向端縁１ｂｚに最も近くなるように傾斜している。
また、第２指標１２は、その第２仮想中心線ＣＬ２寄りの一端部（先端１２ａを含む端部）がおむつ１の第２端部１ｂの長手方向端縁１ｂｚに最も近く、該一端部と反対側の他端部（先端１２ａと反対側の先端１２ｂを含む端部）が該長手方向端縁１ｂｚから最も遠くなるように傾斜している。
また、第３指標１３は、第２仮想中心線ＣＬ２と直交する仮想直線Ｘ３に沿って表示されており、おむつ１の幅方向に平行に表示されている。
【００２２】
図４には、おむつ１のファスニングテープ６をランディングテープ７の第３指標１３に合わせて止着させた状態が示されている。第１実施形態においては、ファスニングテープ６のランディングテープ７への止着は、図４に示すように、ファスニングテープ６に表示されている線状の図柄６１の長手方向（図柄６１の延びる方向）を、ランディングテープ７に表示されている指標（図柄）の長手方向（指標の延びる方向）に一致させることにより行われる。このとき、止着を確実にする観点から、ファスニングテープ６の幅方向中央、即ち、ファスニングテープ６に表示されている前記デザインの突出部（ホームベース型の枠６０の尖端部）を、ランディングテープ７上の指標に一致させることが好ましい。第３指標１３に止着されたファスニングテープ６は、図４に示すように、その先端縁６ａから基端部６ｂに向かっておむつ１の幅方向に平行な状態にある。図４に示す如きファスニングテープの止着形態は、着用者の体型がおむつ１の適応サイズにぴったりと一致する場合、即ち、標準的な体型をもつ着用者に好適な止着形態であり、おむつ１のウエスト周りを着用者の体型にフィットさせることができる。
【００２３】
図５には、おむつ１のファスニングテープ６をランディングテープ７の第１指標１１に合わせて止着させた状態が示されている。第１指標１１に止着されたファスニングテープ６は、図５に示すように、その先端縁６ａから基端部６ｂに向かっておむつ１の上方向へ傾斜した状態にある。このとき、ランディングテープ７は乳幼児の腹部でっぱりのさらに上部に位置することになり、おむつ１の背側部Ｃと着用者の背中とが隙間無くフィットする。図５に示す如きファスニングテープの止着形態は、おむつ１のウエスト周りをきっちりときつめにフィットさせたい場合に好適な止着形態であり、特に、おむつ１の適応サイズよりも小さめの体型をもつ着用者に好適である。
【００２４】
第１指標１１におけるファスニングテープ６の止着効果をより効果的に発現させる観点から、第１指標１１（仮想直線Ｘ１）のおむつ１の長手方向（第１仮想中心線ＣＬ１）に対する傾斜角度は、好ましくは４５〜８０°、更に好ましくは６０〜７５°である。
【００２５】
図６には、おむつ１のファスニングテープ６をランディングテープ７の第２指標１２に合わせて止着させた状態が示されている。第２指標１２に止着されたファスニングテープ６は、図６に示すように、その先端縁６ａから基端部６ｂに向かっておむつ１の下方向へ傾斜した状態にある。このとき、ランディングテープ７は、乳幼児の腹部でっぱりからその下部に位置することになる。図６に示す如きファスニングテープの止着形態は、おむつ１のウエスト周りをゆったりとゆるめにフィットさせたい場合に好適な止着形態であり、特に、おむつ１の適応サイズよりも大きめの体型をもつ着用者に好適である。
【００２６】
第２指標１２におけるファスニングテープ６の止着効果をより効果的に発現させる観点から、第２指標１２（仮想直線Ｘ２）のおむつ１の長手方向（第１仮想中心線ＣＬ１）に対する傾斜角度は、好ましくは４５〜８０°、更に好ましくは６０〜７５°である。
【００２７】
このように、第１実施形態の使い捨ておむつ１は、標準的な体型、標準より小さめの体型、標準より大きめの体型それぞれに最適なおむつの着用法を誘引する、ファスニングテープ６の止着指標１１〜１３を有しているため、所望の指標に合わせてファスニングテープ６，６の止着位置を調整するだけの簡単な作業で、上記各体型に対して良好なフィット感を提供することができ、体液の漏れやずり落ちを防止することができ、また、満腹時、空腹時で変化するおむつ着用者の体型に合わせた臨機応変なファスニングテープの止着を誘引することができる。また、第１実施形態の各指標１１〜１３は、適合体型を数値で表現した指標ではなく、簡単な図柄から構成されているため、ランディングテープ７の表面デザインがすっきりしており、外見的にも良好である。
【００２８】
おむつ１における各部の形成材料について説明すると、表面シート２、裏面シート３、吸収体４、レッグギャザー形成用の弾性部材５としては、従来の使い捨ておむつにおいて、それぞれ材料として用いられている各種公知の材料等を、特に制限なく用いることができる。例えば、表面シート２としては、不織布や開孔フィルム等の各種液透過性のシート材を用いることができ、裏面シート３としては、透湿性を有しない樹脂フィルムや、微細孔を有し、透湿性を有する樹脂フィルム、撥水不織布等の不織布、これらと他のシートとのラミネート体等を用いることができ、吸収体４としては、解繊パルプ等の親水性繊維からなる繊維集合体又はこれに高吸収性ポリマーを保持させたもの等を用いることができる。
【００２９】
以下、本発明の使い捨ておむつの他の実施形態について説明する。以下の実施形態については、上述した第１実施形態のおむつ１と異なる構成部分を主として説明し、同様の構成部分は同一の符号を付して説明を省略する。特に説明しない構成部分は、第１実施形態のおむつ１についての説明が適宜適用される。
【００３０】
図７は、本発明の第２実施形態の要部を示す平面図である。第２実施形態のおむつ１は、複数の指標（第１指標１１、第２指標１２、第３指標１３）それぞれが、おむつ１の幅方向一端側から他端側に向かって該幅方向に平行又は斜行して延びる線状の図柄７１を含んで構成されている。即ち、第１実施形態における各指標が、「おむつ１の幅方向一端側から他端側に向かって該幅方向に平行又は斜行して延びる図柄」そのものであったのに対し、第２実施形態における各指標は、円形形状の枠７０と、該枠７０内に表示された複数の前記線状の図柄７１とからなる。これら指標の構成要素７０，７１のうち、ファスニングテープ止着時の指標として実際に機能するのは線状の図柄７１である。複数の線状の図柄７１それぞれは、おむつ１の幅方向一端側から他端側に向かって該幅方向に平行又は斜行して延びる仮想直線Ｘ１〜Ｘ３に沿って表示されている。各指標において、複数の線状の図柄７１は、所定の方向に所定間隔を置いて並列に表示されており、延びる方向が統一されている。
【００３１】
第２実施形態においては、第１指標１１は、その線状の図柄７１の第１仮想中心線ＣＬ１寄りの先端７１ａが長手方向第１端部１ａに向けて斜行するように表示されており、第２指標１２は、その線状の図柄７１の第２仮想中心線ＣＬ２寄りの先端７１ｂが長手方向第２端部１ｂの長手方向端縁１ｂｚに向けて斜行するように表示されている。
具体的には、第１指標１１に施されている線状の図柄７１は、その第１仮想中心線ＣＬ１寄りの一端部（先端７１ａを含む端部）がおむつ１の第２端部１ｂの長手方向端縁１ｂｚから最も遠く、該一端部と反対側の他端部（先端７１ａと反対側の先端を含む端部）が該長手方向端縁１ｂｚに最も近くなるように傾斜している。
また、第２指標１２に施されている線状の図柄７１は、その第２仮想中心線ＣＬ２寄りの一端部（先端７１ｂを含む端部）がおむつ１の第２端部１ｂの長手方向端縁１ｂｚに最も近く、該一端部と反対側の他端部（先端７１ｂと反対側の先端を含む端部）が該長手方向端縁１ｂｚから最も遠くなるように傾斜している。
第３指標１３に施されている線状の図柄７１は、おむつ１の幅方向に平行して延びており、傾斜していない。
【００３２】
また、第２実施形態においては、図７に示すように、ファスニングテープ６のランディングテープ７との止着面と反対側の面に施されているデザインが、おむつ１の幅方向外方にむかって凸の円弧状部を有する蒲鉾型の枠６０と、該枠６０内に表示された複数の線状の図柄６１とを含んで構成されており、枠６０の形状が第１実施形態と異なっている。第２実施形態において、蒲鉾型の枠６０は、その円弧状部の頂部がファスニングテープ６の幅方向中央に位置するように表示されている。第２実施形態のファスニングテープ６に施されているデザインは、ファスニングテープ６の幅方向中央におむつ１の幅方向外方に向かって突出した突出部（円弧状部の頂部）を有する、という点では第１実施形態と同じであり、第１実施形態と同様に、ファスニングテープ６のランディングテープ７への適切な止着を誘引することができる。
【００３３】
第２実施形態においては、ファスニングテープ６のランディングテープ７への止着は、ファスニングテープ６に表示されている線状の図柄６１の長手方向（図柄６１の延びる方向）を、ランディングテープ７に表示されている指標の図柄７１の長手方向（図柄７１の延びる方向）に一致させることにより行われる。第２実施形態によっても、第１実施形態と同様の効果が奏される。
【００３４】
ところで、前記実施形態においては、ファスニングテープ６の先端縁６ａが直線状であったが、図８に示すように、該先端縁６ａが、おむつ１の幅方向外方に向かって突出した形状を有していても良い。
図８（ａ）に示すファスニングテープ６は、特に第１実施形態のおむつ１に好適なものであり、五角形のホームベース型の形状を有し、その尖端部がおむつ１の幅方向外方に向かって突出している。
図８（ｂ）に示すファスニングテープ６は、特に第２実施形態のおむつ１に好適なものであり、おむつ１の幅方向外方にむかって凸の円弧状部を有する蒲鉾型の形状を有している。
尚、図８（ａ）に示すファスニングテープ６を第２実施形態に適用することも可能であり、また、図８（ｂ）に示すファスニングテープ６を第１実施形態に適用することも可能である。
【００３５】
以上、本発明をその好ましい実施形態に基づき説明したが、本発明は前記実施形態に制限されない。
例えば、第２実施形態では、ランディングテープ７上の各指標を構成する、「おむつの幅方向一端側から他端側に向かって該幅方向に平行又は斜行して延びる図柄」が複数の直線であったが、１本の直線であっても良く、直線以外の１本以上の線状の図柄（波線等）であっても良く、第１実施形態の如き矢標等の線状以外の図柄であっても良い。
また、前記実施形態では、ファスニングテープ６のランディングテープ７との止着面と反対側の面に、直線状の図柄６１が表示されていたが、該面に表示される図柄は、おむつの幅方向に平行して延びるものであれば良く、波線、矢標等であっても良い。
【００３６】
また、前記実施形態では、ファスニングテープの止着機構が、ループ部材（ランディングテープ）とフック部材（ファスニングテープ）とからなるメカニカルファスナであったが、これに代えて、合成樹脂等からなるシート（ランディングテープ）と粘着剤（ファスニングテープ）との組み合わせとしてもよい。
また、おむつ１の構成は本発明の目的を阻害しない範囲で適宜変更可能であり、公知のおむつのように、おむつ１の表面シート２側の左右両側部に立体ギャザーが形成されていてもよい。
【図面の簡単な説明】
【００３７】
【図１】本発明の第１実施形態としての使い捨ておむつを平面状に拡げた状態を示す非肌当接面側の平面図である。
【図２】図１に示すおむつを腹側部から見た斜視図である。
【図３】図１に示すおむつの要部を拡大して示す平面図である。
【図４】図１に示すおむつのファスニングテープをランディングテープの第３指標に合わせて止着させた状態を示す平面図である。
【図５】図１に示すおむつのファスニングテープをランディングテープの第１指標に合わせて止着させた状態を示す平面図である。
【図６】図１に示すおむつのファスニングテープをランディングテープの第２指標に合わせて止着させた状態を示す平面図である。
【図７】本発明の第２実施形態の要部を示す平面図である。
【図８】本発明の他の実施形態の要部を示す平面図である。
【符号の説明】
【００３８】
１  使い捨ておむつ
１ａ  おむつの長手方向第１端部（腹側の長手方向端部）
１ｂ  おむつの長手方向第２端部（背側の長手方向端部）
１ｂｚ  第２端部の長手方向端縁
２  表面シート
３  裏面シート
４  吸収体
５  弾性部材
６  ファスニングテープ
６ａ  ファスニングテープの先端縁
６ｂ  ファスニングテープの基端部
６１  ファスニングテープに表示されている図柄
７  ランディングテープ（基材シート）
７Ｒ  ランディングテープの右側領域
７Ｌ  ランディングテープの左側領域
１１  第１指標
１１ａ  第１指標の第１仮想中心線寄りの先端
１２  第２指標
１２ａ  第２指標の第２仮想中心線寄りの先端
１３  第３指標
７１  指標を構成する図柄（おむつの幅方向一端側から他端側に向かって該幅方向に平行又は斜行して延びる図柄）
７１ａ  第１指標を構成する図柄の第１仮想中心線寄りの先端
７１ｂ  第２指標を構成する図柄の第２仮想中心線寄りの先端
Ｓ  サイドフラップ
Ａ  股下部
Ｂ  腹側部
Ｃ  背側部
ＣＬ１  第１仮想中心線
ＣＬ２  第２仮想中心線
Ｘ１〜Ｘ３  仮想直線
【図１】
0004834630.tif 000002
【図２】
0004834630.tif 000003
【図３】
0004834630.tif 000004
【図４】
0004834630.tif 000005
【図５】
0004834630.tif 000006
【図６】
0004834630.tif 000007
【図７】
0004834630.tif 000008
【図８】
0004834630.tif 000009